(57)【特許請求の範囲】
【請求項１】
照明器具に電波でコマンドを送信することで前記照明器具を制御する照明コントローラであって、
前記照明器具と電波で通信する通信部と、
操作指示を取得する操作部と、
前記操作部による前記操作指示の取得状態に応じてコマンドを生成し、生成した前記コマンドを、前記通信部を介して前記照明器具に送信する制御部とを備え、
前記制御部は、前記取得状態に応じて第１コマンドを生成した場合には、生成した前記第１コマンドを第１送信間隔で前記照明器具に繰り返し送信し、前記取得状態に応じて第２コマンドを生成した場合には、生成した前記第２コマンドを前記第１送信間隔とは異なる第２送信間隔で前記照明器具に繰り返し送信し、
前記第１コマンドは、前記照明器具の状態を速やかに変更する必要があるコマンドとして予め定められたコマンドであって、前記照明器具の明るさを変更するための第１調光コマンドであり、
前記第２コマンドは、前記照明器具の状態を速やかに変更する必要がないコマンドとして予め定められたコマンドであって、前記照明器具の明るさを維持するための第２調光コマンドであり、
前記第１送信間隔は、前記第２送信間隔よりも短い
照明コントローラ。
【請求項２】
前記制御部は、前記操作部によって前記照明器具の明るさを変更する操作指示が取得された場合に、前記第１コマンドを生成して前記第１送信間隔で前記照明器具に繰り返し送信し、前記操作部が、一定時間以上、操作指示を取得していない状態である場合に、前記第２コマンドを生成して前記第２送信間隔で前記照明器具に繰り返し送信する
請求項１記載の照明コントローラ。
【請求項３】
前記操作部は、前記照明器具の明るさを変更するための調光ボタン、及び、前記照明コントローラの動作をオンオフするオンオフボタンを有し、前記調光ボタン又は前記オンオフボタンに対する操作を、前記照明器具の明るさを変更する操作指示として、取得する
請求項２記載の照明コントローラ。
【請求項４】
前記第１調光コマンドには、前記照明器具の明るさを指定するパラメータが含まれ、
前記第１送信間隔で繰り返し送信される前記第１調光コマンドのそれぞれには、前記照明器具の明るさを段階的に変化させるための異なるパラメータが含まれる
請求項１〜３のいずれか１項に記載の照明コントローラ。
【請求項５】
照明器具に電波でコマンドを送信することで前記照明器具を制御する照明コントローラによる照明器具の制御方法であって、
操作指示の取得状態に応じてコマンドを生成し、生成した前記コマンドを前記照明器具に送信する制御ステップを含み、
前記制御ステップでは、前記取得状態に応じて第１コマンドを生成した場合には、生成した前記第１コマンドを第１送信間隔で前記照明器具に繰り返し送信し、前記取得状態に応じて第２コマンドを生成した場合には、生成した前記第２コマンドを前記第１送信間隔とは異なる第２送信間隔で前記照明器具に繰り返し送信し、
前記第１コマンドは、前記照明器具の状態を速やかに変更する必要があるコマンドとして予め定められたコマンドであって、前記照明器具の明るさを変更するための第１調光コマンドであり、
前記第２コマンドは、前記照明器具の状態を速やかに変更する必要がないコマンドとして予め定められたコマンドであって、前記照明器具の明るさを維持するための第２調光コマンドであり、
前記第１送信間隔は、前記第２送信間隔よりも短い
照明器具の制御方法。 
【発明の詳細な説明】
【技術分野】
【０００１】
本発明は、照明コントローラ、及び照明器具の制御方法に関し、特に、照明器具に電波でコマンドを送信することで照明器具を制御する照明コントローラ等に関する。
【背景技術】
【０００２】
従来、照明器具に電波でコマンドを送信することで照明器具を調光する照明コントローラ（あるいは無線親機）が提案されている（例えば、特許文献１参照）。
【０００３】
特許文献１の技術では、無線親機は、無線子機を備える照明器具に対して周期的に調光制御信号を送信し、送信の空き時間において無線子機から送信されてくる監視データを受信する。これにより、通信速度を高速にすることなく、１組の無線機で制御信号の伝送だけでなく監視データの伝送も可能になる。
【先行技術文献】
【特許文献】
【０００４】
【特許文献１】特開２００６−１４０７６４号公報
【発明の概要】
【発明が解決しようとする課題】
【０００５】
しかしながら、特許文献１の技術では、近い場所に複数の無線親機が設けられた場合には、複数の無線親機からの調光制御信号が干渉（電波干渉）し、照明器具が正しく制御されないケースが生じ得る。そのために、ある場所に無線親機を設置した場合には、その無線親機からの電波が届く範囲内には別の無線親機を設置することができないという問題がある。
【０００６】
そこで、本発明は、電波が届く範囲内に複数の照明コントローラを設置した場合であっても照明コントローラが発するコマンドの干渉が生じにくいことを確保できる照明コントローラ、及び照明器具の制御方法を提供することを目的とする。
【課題を解決するための手段】
【０００７】
上記目的を達成するために、本発明に係る照明コントローラの一形態は、照明器具に電波でコマンドを送信することで前記照明器具を制御する照明コントローラであって、前記照明器具と電波で通信する通信部と、操作指示を取得する操作部と、前記操作部による前記操作指示の取得状態に応じてコマンドを生成し、生成した前記コマンドを、前記通信部を介して前記照明器具に送信する制御部とを備え、前記制御部は、前記取得状態に応じて第１コマンドを生成した場合には、生成した前記第１コマンドを第１送信間隔で前記照明器具に繰り返し送信し、前記取得状態に応じて第２コマンドを生成した場合には、生成した前記第２コマンドを前記第１送信間隔とは異なる第２送信間隔で前記照明器具に繰り返し送信し、前記第１コマンドは、前記照明器具の状態を速やかに変更する必要があるコマンドとして予め定められたコマンドであって、前記照明器具の明るさを変更するための第１調光コマンドであり、前記第２コマンドは、前記照明器具の状態を速やかに変更する必要がないコマンドとして予め定められたコマンドであって、前記照明器具の明るさを維持するための第２調光コマンドであり、前記第１送信間隔は、前記第２送信間隔よりも短い。 
【０００８】
また、本発明に係る照明器具の制御方法の一形態は、照明器具に電波でコマンドを送信することで前記照明器具を制御する照明コントローラによる照明器具の制御方法であって、操作指示の取得状態に応じてコマンドを生成し、生成した前記コマンドを前記照明器具に送信する制御ステップを含み、前記制御ステップでは、前記取得状態に応じて第１コマンドを生成した場合には、生成した前記第１コマンドを第１送信間隔で前記照明器具に繰り返し送信し、前記取得状態に応じて第２コマンドを生成した場合には、生成した前記第２コマンドを前記第１送信間隔とは異なる第２送信間隔で前記照明器具に繰り返し送信し、前記第１コマンドは、前記照明器具の状態を速やかに変更する必要があるコマンドとして予め定められたコマンドであって、前記照明器具の明るさを変更するための第１調光コマンドであり、前記第２コマンドは、前記照明器具の状態を速やかに変更する必要がないコマンドとして予め定められたコマンドであって、前記照明器具の明るさを維持するための第２調光コマンドであり、前記第１送信間隔は、前記第２送信間隔よりも短い。
【発明の効果】
【０００９】
本発明に係る照明コントローラ、及び照明器具の制御方法により、電波が届く範囲内に複数の照明コントローラを設置した場合であっても、従来よりも、照明コントローラが発するコマンドの干渉が生じにくい。
【図面の簡単な説明】
【００１０】
【図１】実施の形態における照明システムの構成を示す外観図
【図２】図１に示された照明コントローラ及び照明器具の構成を示すブロック図
【図３】実施の形態の照明システムにおける照明コントローラの特徴的な動作を示すフローチャート
【図４】実施の形態の照明システムにおける照明コントローラが繰り返し調光コマンドを送信するケースの具体例を示す図
【図５】図４の「Ｕｐボタンの短押し」の操作がされた場合の照明コントローラと照明器具とのやりとりを示す通信シーケンス図
【図６】図４の「Ｕｐボタンの長押し」の操作がされた場合の照明コントローラと照明器具とのやりとりを示す通信シーケンス図
【図７】図４の「無操作」の場合における照明コントローラと照明器具とのやりとりを示す通信シーケンス図
【発明を実施するための形態】
【００１１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１２】
図１は、実施の形態における照明システム１０の構成を示す外観図である。照明システム１０は、調光可能な照明光を提供するシステムであり、照明コントローラ２０及び照明器具３０を備える。本実施の形態では、照明コントローラ２０及び照明器具３０は、無線通信のためのペアリング（相手の識別子を記憶すること）を既に終えており、相互に無線通信できる状態にある。
【００１３】
照明コントローラ２０は、照明器具３０に電波でコマンドを送信することで照明器具３０を制御する操作卓（電波リモコン）であり、例えば、部屋の壁等に固定される。
【００１４】
照明器具３０は、照明コントローラ２０から電波で送信されてくる調光コマンドに従って点灯状態を変える器具であり、例えば、ＬＥＤ照明装置である。
【００１５】
なお、本図には照明器具３０が１つだけ示されているが、複数の照明器具が照明コントローラ２０によって制御されてもよい。つまり、照明システム１０は、複数の照明器具を備えてもよい。
【００１６】
また、図１には、１つの照明システム１０が示されているが、複数の照明システムが電波の届く範囲内に設定されていてもよい。本実施の形態の照明システム１０では、後述するように、電波が届く範囲内に複数の照明コントローラを設置した場合であっても、照明コントローラが発するコマンドの干渉が生じにくい工夫が施されている。
【００１７】
図２は、図１に示された照明コントローラ２０及び照明器具３０の構成を示すブロック図である。
【００１８】
照明コントローラ２０は、操作部２１、制御部２３及び通信部２４を備える。
【００１９】
操作部２１は、操作指示を取得する入力装置であり、本実施の形態では、図示されるように、Ｕｐボタン２１ａ、Ｄｏｗｎボタン２１ｂ、及び、Ｏｎ／Ｏｆｆボタン２１ｃを有する。Ｕｐボタン２１ａ及びＤｏｗｎボタン２１ｂは、照明器具３０の明るさを変更するための調光ボタン（それぞれ、調光レベルを上げるためのボタン、調光レベルを下げるためのボタン）であり、例えば、押している間だけオンになる自動復帰型スイッチである。Ｏｎ／Ｏｆｆボタン２１ｃは、照明コントローラ２０の動作をオンオフするオンオフボタンであり、例えば、押す度にオンとオフとが反転する位置保持型スイッチである。操作部２１は、調光ボタン（Ｕｐボタン２１ａ及びＤｏｗｎボタン２１ｂ）又はオンオフボタン（Ｏｎ／Ｏｆｆボタン２１ｃ）に対する操作を、照明器具３０の明るさを変更する操作指示として、取得する。
【００２０】
通信部２４は、アンテナ２５を介して照明器具３０と電波で通信する通信インタフェースであり、例えば、無線ＬＡＮ用の通信アダプタである。
【００２１】
制御部２３は、操作部２１による操作指示の取得状態に応じてコマンドを生成し、生成したコマンドを、通信部２４を介して照明器具３０に送信（あるいは、繰り返し送信）する回路である。制御部２３は、例えば、不揮発性メモリ、不揮発性メモリに格納された制御プログラムを実行するプロセッサ、揮発性メモリ、入出力ポート及びタイマ等を有する１チップマイクロコンピュータである。制御部２３は、照明器具３０の点灯状態を示す値（例えば、調光レベル）を内部の不揮発性メモリに記憶しており、操作部２１を介して照明器具３０の点灯状態を変更する操作を検知した場合に、不揮発性メモリに記憶された値を更新する。
【００２２】
なお、本実施の形態では、コマンドを繰り返し送信するケースには、次の２つのケースが含まれる。一つは、無線通信を確実にするために、完全に同一のコマンドを繰り返し送信するケースである。このケースでは、コマンドを受信した照明器具３０は、２回目以降に受信したコマンドを、所定の時間間隔以下で繰り返し受信した場合には破棄し、所定の時間間隔より長い間隔で繰り返し受信した場合には実行する。もう一つは、照明器具３０の明るさを徐々に変化させるケースである。この場合には、コマンドに含まれる明るさを指定するパラメータを段階的に変えながら、同種のコマンド（調光コマンド）が照明コントローラ２０から照明器具３０に繰り返し送信される。このようなコマンドを繰り返し受信した照明器具３０は、コマンドに従って明るさを徐々に変化させる。
【００２３】
ここで、制御部２３が生成するコマンドには、少なくとも、繰り返し送信する２種類のコマンド（第１コマンド及び第２コマンド）が含まれる。つまり、制御部２３は、操作部２１による操作指示の取得状態に応じて第１コマンドを生成した場合には、生成した第１コマンドを第１送信間隔で照明器具に繰り返し送信する。一方、制御部２３は、操作部２１による操作指示の取得状態に応じて第２コマンドを生成した場合には、生成した第２コマンドを第１送信間隔とは異なる第２送信間隔で照明器具３０に繰り返し送信する。
【００２４】
本実施の形態では、第１コマンドは、照明器具３０の状態を速やかに変更する必要があるコマンドとして予め定められたコマンドである。一方、第２コマンドは、照明器具３０の状態を速やかに変更する必要がないコマンドとして予め定められたコマンドである。そして、第１送信間隔は、第２送信間隔よりも短い。
【００２５】
具体的には、第１コマンドは、照明器具３０の明るさを変更するための第１調光コマンドである。一方、第２コマンドは、照明器具３０の明るさを維持するための第２調光コマンドである。そして、制御部２３は、操作部２１によって照明器具３０の明るさを変更する操作指示が取得された場合に、第１調光コマンドを生成して第１送信間隔で照明器具３０に繰り返し送信する。第１送信間隔は、操作部２１での操作を検知する時間等を考慮して定められる最小の時間であり、例えば、２００ｍｓｅｃである。一方、操作部２１が、一定時間以上、操作指示を取得していない状態である場合に、第２調光コマンドを生成して第２送信間隔で照明器具に繰り返し送信する。第２送信間隔は、明るさの変化に対して人の視感度として違和感のない時間であり、例えば、１ｓｅｃである。
【００２６】
具体的な操作として、例えば、調光ボタン（Ｕｐボタン２１ａ又はＤｏｗｎボタン２１ｂ）が連続的に押下（長押し）された場合には、制御部２３は、照明器具３０の明るさを段階的に変化させるために、第１送信間隔で繰り返し第１調光コマンドを送信する。繰り返し送信される第１調光コマンドには、明るさを指定するパラメータが含まれる。このとき、繰り返し送信される第１調光コマンドのそれぞれには、照明器具３０の明るさを段階的に変化させるための異なるパラメータが含まれる。
【００２７】
なお、制御部２３が生成するコマンドには、第１コマンド及び第２コマンドだけでなく、他の種類のコマンドが含まれてもよい。例えば、第２送信間隔よりも長い第３送信間隔で繰り返し送信する第３調光コマンドが含まれてもよい。例えば、第３調光コマンドは、照明コントローラ２０と照明器具３０との間の通信路が正常な状態（通信できる状態）が維持されていることを確認するためのコマンドである。第３送信間隔は、照明コントローラ２０と照明器具３０との通信において一時的な通信断があっても調光制御として許容されると考えられる時間であり、例えば、６０秒である。照明器具３０は、第３送信間隔で繰り返し送信されてくる第３調光コマンドを受信できない場合に、照明コントローラ２０と照明器具３０との間の通信路が異常（通信断）であると認識し、特定の点灯状態（例えば、内蔵の蓄電池による点灯）を保つことができる。
【００２８】
また、照明コントローラ２０には、さらに、ＬＥＤ等で構成される表示部が備えられてもよい。その表示部は、制御部２３による制御の下で、現在の調光レベルに対応する表示をしてもよいし、操作部２１の操作に対応する表示をしてもよい。
【００２９】
照明器具３０は、アンテナ３１、通信部３２、制御部３４及び光源３６を備える。
【００３０】
通信部３２は、アンテナ３１を介して照明コントローラ２０との間で電波による送受信をする通信インタフェースであり、例えば、無線ＬＡＮ用の通信アダプタである。
【００３１】
光源３６は、制御部３４による制御の下で照明光を発する光源であり、例えば、調光回路及びＬＥＤ等で構成される。
【００３２】
制御部３４は、通信部３２を介して照明コントローラ２０から受信したコマンドに従って、光源３６を制御する制御回路である。制御部３４は、例えば、不揮発性メモリ、不揮発性メモリに格納された制御プログラムを実行するプロセッサ、揮発性メモリ、入出力ポート及びタイマ等を有する１チップマイクロコンピュータである。
【００３３】
次に、以上のように構成された本実施の形態における照明システム１０の動作について説明する。
【００３４】
図３は、本実施の形態の照明システム１０における照明コントローラ２０の特徴的な動作を示すフローチャートである。ここでは、操作部２１による操作指示の取得状態に応じて照明コントローラ２０が照明器具３０に２種類の調光コマンド（第１調光コマンド及び第２調光コマンド）のいずれかを送信する際の手順（「照明器具の制御方法」における制御ステップ）が示されている。
【００３５】
照明コントローラ２０では、まず、制御部２３は、操作部２１による操作指示の取得状態を検知し、検知した取得状態に応じてコマンド（ここでは、２種類の調光コマンドのいずれか）を生成する（Ｓ１０）。例えば、制御部２３は、操作部２１によって照明器具３０の明るさを変更する操作指示（Ｕｐボタン２１ａ、Ｄｏｗｎボタン２１ｂ又はＯｎ／Ｏｆｆボタン２１ｃの押下）が取得された場合には、第１調光コマンドを生成する。第１調光コマンドは、照明器具３０の状態を速やかに変更する必要があるコマンドとして予め定められた第１コマンドの一例であり、照明器具３０の明るさを変更するためのコマンドである。また、制御部２３は、操作部２１が、一定時間以上、操作指示を取得していない状態である場合に、第２調光コマンドを生成する。第２調光コマンドは、照明器具３０の状態を速やかに変更する必要がないコマンドとして予め定められたコマンドの一例であり、照明器具３０の明るさを維持するためのコマンドである。
【００３６】
そして、制御部２３は、第１調光コマンドを生成した場合には（ステップＳ１１で「第１調光コマンド」）、生成した第１調光コマンドを、照明器具３０に、予め定められた第１送信間隔で繰り返し送信する（Ｓ１２）。第１調光コマンドが送信されてきた照明器具３０では、制御部３４は、通信部３２を介して第１調光コマンドを受信し、受信した第１調光コマンドを解釈し、その結果、第１調光コマンドに従って光源３６を調光する。なお、制御部３４は、所定の時間間隔以下の時間間隔（ここでは、第１送信間隔）で繰り返し受信したコマンド（ここでは、第１調光コマンド）が同一である場合には、何の制御もしない（つまり、２回目以降に受信した完全に同一のコマンドを破棄する）。
【００３７】
一方、第２調光コマンドを生成した場合には（ステップＳ１１で「第２調光コマンド」）、制御部２３は、生成した第２調光コマンドを、照明器具３０に、予め定められた第２送信間隔（＞第１送信間隔）で繰り返し送信する（Ｓ１３）。第２調光コマンドが送信されてきた照明器具３０では、制御部３４は、通信部３２を介して第２調光コマンドを受信し、受信した第２調光コマンドを解釈し、その結果、第２調光コマンドに従って光源３６を調光（直前に指示した明るさを維持する制御を）する。なお、制御部３４は、所定の時間間隔よりも長い時間間隔（ここでは、第２送信間隔）でコマンド（ここでは、第２調光コマンド）を受信した場合には、たとえ受信したコマンドが直前に受信したコマンドと同一であっても、受信したコマンドに従って実行する。
【００３８】
このように、本実施の形態における照明システム１０によれば、コマンドの種類によって照明コントローラ２０から照明器具３０に繰り返し送信される際の送信間隔が異なる。よって、電波が届く範囲内に複数の照明コントローラを設置した場合であっても照明コントローラが発するコマンドの干渉が生じにくいことが確保される。
【００３９】
また、照明器具３０の状態を速やかに変更する必要がある第１調光コマンドは、そのような必要がない第２調光コマンドよりも短い送信間隔で繰り返し送信される。よって、調光コマンドの種類に依存して送信間隔を変えたことによって照明コントローラの操作者に違和感を与えてしまうことが抑制される。
【００４０】
図４は、本実施の形態の照明システム１０における照明コントローラ２０が繰り返し調光コマンドを送信するケースの具体例を示す図である。ここには、ボタンによる具体的な「操作」ごとに、その操作の「機能」、「調光コマンド」に含まれるパラメータ（「コマンド種別」、「調光レベル」、「フェード時間」）、調光コマンドの「繰り返し送信における送信間隔と送信回数」が表形式で示されている。
【００４１】
なお、図４の「操作」において、ボタンの「短押し」とは、予め定められた短い時間だけボタンが押下される状態を意味し、例えば、１０ｍｓｅｃ間隔で３回以上、かつ、５０回未満の回数だけ連続して押下が検知される状態である。また、ボタンの「長押し」とは、予め定められた時間よりも長くボタンが押下される状態を意味し、例えば、１０ｍｓｅｃ間隔で５０回以上、連続して押下が検知される状態である。「無操作」とは、操作部２１が操作されていない状態を意味し、例えば、いずれのボタンも１０ｍｓｅｃ間隔で３回以上、連続して押下が検知されない状態である。
【００４２】
また、図４の「調光コマンド」に示されるように、調光コマンドは、本実施の形態では、データフォーマットとして、先頭から、３つのパラメータ「コマンド種別」、「調光レベル」及び「フェード時間」がこの順で含まれる構造を有する。「コマンド種別」は、コマンドの種別を示すパラメータであり、図４では調光コマンドを示す「調光」に設定された場合だけが示されているが、他のコマンド（例えば、照明コントローラ２０の識別子を送信するコマンド）の種別に設定されてもよい。「調光レベル」は、照明器具３０の明るさを指定するパラメータであり、ここでは、フル点灯の明るさ（最大の明るさ）を１００（％）とした場合の明るさを指定する整数値に設定される。「フェード時間」は、現在の明るさから「調光レベル」で指定した明るさにフェードさせながら変化させる場合の遷移時間を指定するパラメータであり、例えば、ミリ秒（ｍｓｅｃ）単位の整数値に設定される。
【００４３】
図４における各「操作」では、制御部２３は、次のようにして、調光コマンドを繰り返し送信する。
【００４４】
「Ｕｐボタン２１ａの短押し」を検知すると、制御部２３は、調光レベルを現在よりも１％上げた調光コマンドを生成し、生成した調光コマンドを２００ｍｓｅｃ間隔で３回、照明器具３０に繰り返し送信する。現在の調光レベルは、制御部２３の内部（不揮発性メモリ）に記憶している値である。このときの調光コマンドは、「コマンド種別」が「調光」、「調光レベル」が「記憶値（内部に記憶している値）を１％上げた値」、「フェード時間」が０（ｍｓｅｃ）に設定される。この送信は、無線通信を確実にするために、完全に同一のコマンド（第１調光コマンド）を第１送信間隔で繰り返し送信するケースに相当する。
【００４５】
「Ｄｏｗｎボタン２１ｂの短押し」を検知すると、制御部２３は、調光レベルを現在よりも１％下げるための「調光コマンド」を生成し、生成した調光コマンドを２００ｍｓｅｃ間隔で３回、照明器具３０に繰り返し送信する。基本的な処理は、「Ｕｐボタン２１ａの短押し」と同様である。
【００４６】
「Ｕｐボタン２１ａの長押し」を検知すると、制御部２３は、「長押し」が継続している間に、２００ｍｓｅｃ間隔で、一定の傾斜で調光レベルを連続的に上げていくための調光コマンドを照明器具３０に繰り返し送信する。「一定の傾斜」とは、例えば、３秒間で調光レベルが０〜１００％変化する割合である。このときの調光コマンドは、「コマンド種別」が「調光」、「調光レベル」が「２００ｍｓｅｃ間隔で段階的に上げた値」、「フェード時間」が２００（ｍｓｅｃ）に設定される。この送信は、照明器具３０の明るさを徐々に変化させるために、コマンドに含まれる「調光レベル」を段階的に変えながら、同種のコマンド（第１調光コマンド）を第１送信間隔で繰り返し送信するケースに相当する。そして、「長押し」の終了を検知すると、制御部２３は、最後に送信した調光コマンドと同じ調光コマンドを２００ｍｓｅｃ間隔で３回、照明器具３０に繰り返し送信する。この送信は、無線通信を確実にするために、完全に同一のコマンド（第１調光コマンド）を第１送信間隔で繰り返し送信するケースに相当する。
【００４７】
「Ｄｏｗｎボタン２１ｂの長押し」を検知すると、制御部２３は、「長押し」が継続している間に、２００ｍｓｅｃ間隔で、一定の傾斜で調光レベルを連続的に下げていくための調光コマンドを照明器具３０に繰り返し送信する。基本的な処理は、「Ｕｐボタン２１ａの長押し」と同様である。
【００４８】
「Ｏｎ／Ｏｆｆボタン２１ｃをＯｎに」する操作を検知すると、制御部２３は、記憶している調光レベルで照明器具３０を点灯させるための調光コマンドを生成し、生成した調光コマンドを２００ｍｓｅｃ間隔で３回、照明器具３０に繰り返し送信する。このときの調光コマンドは、「コマンド種別」が「調光」、「調光レベル」が「記憶値」（内部に記憶している値）、「フェード時間」が２００（ｍｓｅｃ）に設定される。この送信は、無線通信を確実にするために、完全に同一のコマンド（第１調光コマンド）を第１送信間隔で繰り返し送信するケースに相当する。
【００４９】
「Ｏｎ／Ｏｆｆボタン２１ｃをｏｆｆに」する操作を検知すると、制御部２３は、照明器具３０を消灯させるための調光コマンドを生成し、生成した調光コマンドを２００ｍｓｅｃ間隔で３回、照明器具３０に繰り返し送信する。このときの調光コマンドは、「コマンド種別」が「調光」、「調光レベル」が「０」、「フェード時間」が２００（ｍｓｅｃ）に設定される。この送信は、無線通信を確実にするために、完全に同一のコマンド（第１調光コマンド）を第１送信間隔で繰り返し送信するケースに相当する。
【００５０】
「無操作」を検知すると、制御部２３は、「無操作」が継続している間、記憶している調光レベルで照明器具３０を点灯させることを維持するための調光コマンドを生成し、生成した調光コマンドを１０００ｍｓｅｃ間隔で照明器具３０に繰り返し送信する。このときの調光コマンドは、「コマンド種別」が「調光」、「調光レベル」が「記憶値」（内部に記憶している値）、「フェード時間」が１０００（ｍｓｅｃ）に設定される。この送信は、無線通信を確実にするために、完全に同一のコマンド（第２調光コマンド）を第２送信間隔で繰り返し送信するケースに相当する。
【００５１】
「電源投入」を検知すると、制御部２３は、記憶している調光レベルで照明器具３０を点灯させるための調光コマンドを生成し、生成した調光コマンドを２００ｍｓｅｃ間隔で３回、照明器具３０に繰り返し送信する。「電源投入」は、操作部２１による図示されていない電源ボタンによるオン操作、又は、電源投入による制御部２３のリセットにより、制御部２３で検知される。このときの調光コマンドは、「コマンド種別」が「調光」、「調光レベル」が「記憶値」（内部に記憶している値）、「フェード時間」が２００（ｍｓｅｃ）に設定される。この送信は、無線通信を確実にするために、完全に同一のコマンド（第２調光コマンド）を第２送信間隔で繰り返し送信するケースに相当する。
【００５２】
図５は、図４の「Ｕｐボタン２１ａの短押し」の操作がされた場合の照明コントローラ２０と照明器具３０とのやりとりを示す通信シーケンス図である。
【００５３】
照明コントローラ２０では、制御部２３は、「Ｕｐボタン２１ａの短押し」を検知すると（Ｓ２０）、調光レベルを現在（内部に記憶している値）よりも１％上げた調光コマンドを生成する（Ｓ２１）。このときの調光コマンドは、「コマンド種別」が「調光」、「調光レベル」が「記憶値（内部に記憶している値）から１％上げた調光レベルＬ」、「フェード時間」が０（ｍｓｅｃ）に設定される。そして、制御部２３は、生成した調光コマンドを２００ｍｓｅｃ間隔で３回、照明器具３０に繰り返し送信する（Ｓ２２、Ｓ２４、Ｓ２５）。
【００５４】
照明器具３０では、制御部３４は、１回目に送信されてきた調光コマンドに含まれる調光レベルＬが現在の値（内部に記憶している調光レベル）と異なることを検知し、光源３６を調光レベルＬで点灯させる（Ｓ２３）。２回目及び３回目に送信されてきた調光コマンドに対しては、制御部３４は、直前に受信した調光コマンドと完全に同一で、かつ、所定の時間間隔（例えば、３００ｍｓｅｃ）以下での繰り返し受信であると認識し、それらの調光コマンドを破棄する。なお、通信事情の悪化等によって１回目に送信されてきた調光コマンドを受信できなかった場合には、制御部３４は、２回目に送信されてきた調光コマンドを検知できると、その２回目の調光コマンドに応答する。もし、２回目に送信されてきた調光コマンドを受信できなかった場合には、制御部３４は、３回目に送信されてきた調光コマンドを検知できると、その３回目の調光コマンドに応答する。
【００５５】
図６は、図４の「Ｕｐボタン２１ａの長押し」の操作がされた場合の照明コントローラ２０と照明器具３０とのやりとりを示す通信シーケンス図である。
【００５６】
照明コントローラ２０では、制御部２３は、「Ｕｐボタン２１ａの長押し」を検知すると（Ｓ３０）、「Ｕｐボタン２１ａの長押し」が継続している間に、２００ｍｓｅｃ間隔で、一定の傾斜で調光レベルを連続的に上げていくために、以下の処理を行う。
【００５７】
まず、制御部２３は、現在の調光レベル（内部に記憶している調光レベル）から、一定の傾斜で調光レベルを上げた場合に２００ｍｓｅｃ後にとるべき調光レベルＬ１を算出し、算出した調光レベルＬ１をもつ第１回目の調光コマンドを生成する（Ｓ３１）。「一定の傾斜」とは、例えば、３秒間で調光レベルが０〜１００％変化する割合である。このときの調光コマンドは、「コマンド種別」が「調光」、「調光レベル」が「Ｌ１」、「フェード時間」が２００（ｍｓｅｃ）に設定される。そして、制御部２３は、生成した調光コマンドを照明器具３０に送信する（Ｓ３２）。
【００５８】
照明器具３０では、制御部３４は、送信されてきた調光コマンドに含まれる調光レベルＬ１が現在の値（内部に記憶している調光レベル）と異なることを検知し、光源３６を調光レベルＬ１で点灯させる（Ｓ３３）。
【００５９】
２００ｍｓｅｃの経過後に、「長押し」が継続していることを検知した制御部２３は、第１回目の調光コマンドと同様にして、一定の傾斜で上げた調光レベルＬ２をもつ第２回目の調光コマンドを生成し（Ｓ３４）、照明器具３０に送信する（Ｓ３５）。
【００６０】
照明器具３０では、制御部３４は、送信されてきた調光コマンドに含まれる調光レベルＬ２が現在の値（内部に記憶している調光レベル）と異なることを検知し、光源３６を調光レベルＬ２で点灯させる（Ｓ３６）。
【００６１】
同様にして、照明コントローラ２０では、さらに一定の傾斜上げた調光レベルＬ３をもつ第３回目の調光コマンドが生成され（Ｓ３７）、照明器具３０に送信される（Ｓ３８）。照明器具３０では、光源３６が調光レベルＬ３で点灯される（Ｓ３９）。
【００６２】
ここで、「Ｕｐボタン２１ａの長押し」が終了すると、その終了を検知した制御部２３は、直前に算出した調光レベルＬ３を内部の不揮発性メモリに格納して記憶させる（Ｓ４０）。そして、制御部２３は、最後に送信した調光コマンドと同じ調光コマンド（第３回目の調光コマンド）を２００ｍｓｅｃ間隔で３回、照明器具３０に繰り返し送信する（Ｓ４１〜Ｓ４３）。これにより、通信事情の悪化等が発生した場合であっても、最終的な調光レベルＬ３を指定した調光コマンドが繰り返し送信されるので、照明器具３０は、最終的な調光レベルＬ３の点灯状態になり得る。
【００６３】
なお、図６の通信シーケンス図では、「Ｕｐボタン２１ａの長押し」が継続している間において、２００ｍｓｅｃ間隔で新たな調光コマンドが生成されたが（Ｓ３１、Ｓ３４、Ｓ３７）、これらの調光コマンドは、最初の段階で、まとめて生成されてもよい。つまり、最初に「Ｕｐボタン２１ａの長押し」が検知された時点で、調光レベルが現在の値から一定の傾斜で、かつ、２００ｍｓｅｃ間隔でフル点灯に至るまでに用いられる可能がある全ての調光コマンドが生成されてもよい。
【００６４】
図７は、図４の「無操作」の場合における照明コントローラ２０と照明器具３０とのやりとりを示す通信シーケンス図である。
【００６５】
照明コントローラ２０では、制御部２３は、「無操作」を検知すると（Ｓ５０）、「無操作」が継続している間、記憶している調光レベルで照明器具３０を点灯させることを維持するために、以下の処理を行う。
【００６６】
照明コントローラ２０では、制御部２３は、「１ｓｅｃ間の無操作」を検知すると、現在の調光レベルＬ（内部に記憶している調光レベルＬ）を参照することで、現在の調光レベルＬをもつ調光コマンドを生成する（Ｓ５１）。そして、制御部２３は、生成した調光コマンドを照明器具３０に送信する（Ｓ５２）。照明器具３０では、調光コマンドを受信した制御部３４は、直前にコマンドを受信した時から所定の時間間隔（例えば、３００ｍｓｅｃ）よりも長い時間が経過していると検知し、受信したコマンドに従って光源３６を調光レベルＬで点灯させる（Ｓ５３）。
【００６７】
照明コントローラ２０において「１ｓｅｃ間の無操作」が検知される限り、照明コントローラ２０及び照明器具３０では、上記ステップＳ５０〜Ｓ５３と同様の処理が繰り返される（Ｓ５４〜Ｓ５７、Ｓ５８〜Ｓ６１）。
【００６８】
このようにして、「無操作」が継続する限り、最後に送信された調光コマンドで指定された調光レベルをもつ調光コマンドが１ｓｅｃ間隔で繰り返し照明器具３０に送信され、照明器具３０の点灯状態が維持される。
【００６９】
以上のように、本実施の形態の照明システム１０では、照明コントローラ２０は、照明器具３０に電波でコマンドを送信することで照明器具３０を制御する装置であり、通信部２４、操作部２１及び制御部２３を備える。通信部２４は、照明器具３０と電波で通信する。操作部２１は、操作指示を取得する。制御部２３は、操作部２１による操作指示の取得状態に応じてコマンドを生成し、生成したコマンドを、通信部２４を介して照明器具３０に送信する。このとき、制御部２３は、取得状態に応じて第１コマンドを生成した場合には、生成した第１コマンドを第１送信間隔で照明器具３０に繰り返し送信する。また、制御部２３は、取得状態に応じて第２コマンドを生成した場合には、生成した第２コマンドを第１送信間隔とは異なる第２送信間隔で照明器具３０に繰り返し送信する。
【００７０】
これにより、コマンドの種類によって、照明コントローラ２０から照明器具３０に繰り返し送信される際の送信間隔が異なる。よって、電波が届く範囲内に複数の照明コントローラを設置した場合であっても照明コントローラが発するコマンドの干渉が生じにくいことが確保される。
【００７１】
また、第１コマンドは、照明器具３０の状態を速やかに変更する必要があるコマンドとして予め定められたコマンドであり、第２コマンドは、照明器具３０の状態を速やかに変更する必要がないコマンドとして予め定められたコマンドである。そして、第１送信間隔は、第２送信間隔よりも短い。
【００７２】
これにより、照明器具３０の状態を速やかに変更する必要がある第１調光コマンドは、そのような必要がない第２調光コマンドよりも短い送信間隔で繰り返し送信されるので、操作者に苛立ち又は違和感を与えてしまうことが抑制される。
【００７３】
また、第１コマンドは、照明器具３０の明るさを変更するための第１調光コマンドであり、第２コマンドは、照明器具３０の明るさを維持するための第２調光コマンドである。そして、制御部２３は、操作部２１によって照明器具３０の明るさを変更する操作指示が取得された場合に、第１コマンドを生成して第１送信間隔で照明器具３０に繰り返し送信する。また、制御部２３は、操作部２１が、一定時間以上、操作指示を取得していない状態である場合に、第２コマンドを生成して第２送信間隔で照明器具３０に繰り返し送信する。
【００７４】
これにより、照明器具３０の明るさを変更する必要がある第１調光コマンドは、そのような必要がない第２調光コマンドよりも短い送信間隔で繰り返し送信される。よって、調光操作に関して操作者に苛立ち又は違和感を与えてしまうことを抑制したうえで、複数の照明コントローラが発するコマンドの干渉が抑制される。
【００７５】
また、操作部２１は、照明器具３０の明るさを変更するための調光ボタン、及び、照明コントローラ２０の動作をオンオフするオンオフボタンを有する。そして、操作部２１は、調光ボタン又はオンオフボタンに対する操作を、照明器具３０の明るさを変更する操作指示として、取得する。
【００７６】
これにより、照明器具３０の明るさを変更する操作、及び、照明コントローラ２０の動作をオンオフする操作がされた場合に、照明器具３０の明るさを変更する第１調光コマンドが第１送信間隔で繰り返し照明器具３０に送信される。
【００７７】
また、第１調光コマンドには、照明器具３０の明るさを指定するパラメータが含まれ、第１送信間隔で繰り返し送信される第１調光コマンドのそれぞれには、照明器具３０の明るさを段階的に変化させるための異なるパラメータが含まれる。
【００７８】
これにより、第１調光コマンドの繰り返し送信によって、照明器具３０の明るさを徐々に変化させるフェードが実現される。
【００７９】
また、本実施の形態における照明器具の制御方法は、照明器具３０に電波でコマンドを送信することで照明器具３０を制御する照明コントローラ２０による照明器具３０の制御方法である。そして、操作指示の取得状態に応じてコマンドを生成し、生成したコマンドを照明器具３０に送信する制御ステップを含む。制御ステップでは、取得状態に応じて第１コマンドを生成した場合には、生成した第１コマンドを第１送信間隔で照明器具３０に繰り返し送信する。一方、取得状態に応じて第２コマンドを生成した場合には、生成した第２コマンドを第１送信間隔とは異なる第２送信間隔で照明器具３０に繰り返し送信する。
【００８０】
これにより、コマンドの種類によって、照明コントローラ２０から照明器具３０に繰り返し送信される際の送信間隔が異なる。よって、電波が届く範囲内に複数の照明コントローラを設置した場合であっても照明コントローラが発するコマンドの干渉が生じにくいことが確保される。
【００８１】
以上、本発明に係る照明コントローラ及び照明器具の制御方法について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００８２】
例えば、上記実施の形態では、第１送信間隔で繰り返し送信する第１コマンド、及び、第２送信間隔で繰り返し送信する第２コマンドの例として、調光コマンドが説明されたが、第１コマンド及び第２コマンドは調光コマンドに限定されない。具体例として、第１コマンドは、無線通信のペアリングのために照明コントローラ２０が自らの識別子を第１送信間隔（例えば、１００ｍｓｅｃ間隔）で繰り返し照明器具３０に送信するペアリング用コマンド（コマンド種別が「ペアリング」）であってもよい。また、第２コマンドは、無線通信が正常であることを定期的に確認するために照明コントローラ２０が自らの識別子を第２送信間隔（例えば、１０ｓｅｃ間隔）で繰り返し照明器具３０に送信する通信確認用コマンド（コマンド種別が「通信確認」）であってもよい。
【００８３】
また、上記実施の形態では、照明コントローラ２０が繰り返し照明器具３０に送信するコマンドの例が説明されたが、照明コントローラ２０が送信するコマンドには、１回だけ送信されるコマンドが含まれてもよい。つまり、照明コントローラ２０の制御部２３は、操作部２１による操作指示の取得状態に応じて、又は、照明コントローラ２０の動作状態に応じて、所定のコマンドを１回だけ照明器具３０に送信してもよい。
【００８４】
また、上記実施の形態では、第１送信間隔で送信される第１調光コマンドとして、照明器具３０の明るさを変更するコマンドが例示され、第２送信間隔で送信される第２調光コマンドとして、照明器具３０の明るさを維持するコマンドが例示された。しかしながら、第１調光コマンド及び第２調光コマンドは、これらの種類のコマンドに限られない。例えば、第１調光コマンドは、１００ｍｓｅｃ間隔（第１送信間隔）で送信される、照明器具３０の明るさを短時間で変更するためのコマンド（例えば、フェード時間が０ｍｓｅｃの調光コマンド）であってもよい。そして、第２調光コマンドは、５００ｍｓｅｃ間隔（第２送信間隔）で送信される、照明器具３０の明るさをより長い時間で変更するためのコマンド（例えば、フェード時間が５００ｍｓｅｃの調光コマンド）であってもよい。このような分類であっても、調光コマンドの種類によって送信間隔が異なるので、複数の照明コントローラを設置した場合であっても照明コントローラが発するコマンドの干渉が生じにくいことが確保される。
【００８５】
また、本発明は、上記実施の形態で説明した照明コントローラ及び照明器具の制御方法として実現できるだけではない。本発明は、照明コントローラ及び照明器具から構成される照明システムとして実現してもよい。さらに、本発明は、上記制御方法をコンピュータに実行させるプログラム、及び、そのプログラムを記録したコンピュータ読み取り可能なＣＤ−ＲＯＭ等の記録媒体として実現してもよい。
【符号の説明】
【００８６】
２０  照明コントローラ
２１  操作部
２３  制御部
２４  通信部
３０  照明器具
【図１】
0006508597.tif 000002
【図２】
0006508597.tif 000003
【図３】
0006508597.tif 000004
【図４】
0006508597.tif 000005
【図５】
0006508597.tif 000006
【図６】
0006508597.tif 000007
【図７】
0006508597.tif 000008